(57)【要約】【課題】  従来文献では、ガードパイプに取付けた支持脚を利用して、選挙用の掲示板を立設する構造とか、ガードレール（取付け対象物）に、挟持固定される上下の固定具（移動規制手段、及び下端アーム）を備えた脚部と、脚部の上端部に設けた掲示物支持台とでなる構造とか、或いは、ガードレールの上下端部に係止するスプリングを備えた対の引っ掛け手段と、対の引っ掛け手段を繋ぐ表示体とでなる構造とかが挙げられる。しかし、目的達成には、さらなる工夫と改良が必要となる。【解決手段】  上記に鑑み、本発明は、支柱、及び、ビーム、ケーブル、又はパイプでなる梁材でなるガードレール、ガードパイプ、又はガードケーブルでなる防護柵に取付ける看板、広告塔、又は標識である表示体で、この表示体は、少なくとも、梁材に固定される複数の固定具と、複数の固定具を基に、防護柵に固定される、防護柵と同寸の表示板でなる表示体の構造を提供する。【選択図】      図１
2020024325.tif 000002
【特許請求の範囲】
【請求項１】
支柱、及び、この支柱に架承されたビーム、ケーブル、又はパイプでなる梁材でなるガードレール、ガードパイプ、又はガードケーブルでなる防護柵に取付ける看板、広告塔、又は標識である表示体であって、
この表示体は、少なくとも、前記梁材に固定される複数の固定具と、この複数の固定具を基に、前記防護柵に固定される、この防護柵と同寸の表示板でなる表示体の構造。
【請求項２】
前記表示体、及び／又は、前記固定具は、上下側の端部を、湾曲可能としたことを特徴とする請求項１に記載の表示体の構造。
【請求項３】
前記固定具は、鍵形であって、その上下側の折曲げ端部は、前記防護柵の上下側の棚材に、止め具で緊締可能としたことを特徴とする請求項１に記載の表示体の構造。
【請求項４】
前記防護柵及び／又は前記表示体は、上下側の寸法を変更可能としたことを特徴とする請求項１に記載の表示体の構造。
【請求項５】
前記ガードレールにおいては、前記表示体の左右側に第１取付孔を開設し、この第１取付孔に整合する第２取付孔を、前記ビームに開設し、この第１・第２取付孔に止め具を差込み、かつ固定することで、このガードレールにこの表示体を取付け可能としたことを特徴とする請求項１に記載の表示体の構造。
【請求項６】
支柱、及び、この支柱に架承されたビーム、ケーブル、又はパイプでなる梁材でなるガードレール、ガードパイプ、又はガードケーブルでなる防護柵に取付ける看板、広告塔、又は標識である表示体であって、
この表示体は、上下側の縁部を、前記防護柵に固定し、この防護柵と同寸の表示板を取付けることを特徴とした表示体の構造。
【請求項７】
前記表示板は、左右側の長さ寸法を調整可能な手段を付設する構成とした請求項１、又は請求項６に記載の表示体の構造。
【発明の詳細な説明】
【技術分野】
【０００１】
本発明は、ガードレール、ガードパイプ、又はガードケーブルでなる防護柵に取付ける看板、広告塔、又は標識である表示体の構造に関する。
【背景技術】
【０００２】
周知の如く、防護柵（分離帯を含む）は、主として、進行方向を誤った車両が路外、対向車線、又は歩道等に逸脱するのを防ぐとともに、車両乗員の傷害および車両の破損を最小限に留めて、車輛を正常な進行方向に復元させることを目的とし、また、歩行者、及び自転車の転落若しくはみだりな横断を抑制する等の目的を備えた施設であるとの解説がある。そして、この防護柵の構造と、設置等に関しては、道路交通法で、義務付けされている。
【０００３】
この防護柵を利用した表示体で、殊に道路表示体に関しては、工夫、及び／又は、利便性等を意図した文献が挙げられる。一例を説明すると、文献１として、ガードパイプに取付けた支持脚を利用して、選挙用の掲示板を立設する発明であり、掲示板の設置簡易化と、設置自由度、及び／又は、設置箇所等の拡充である（特許第６０３２７７６号公報）。また、文献２として、ガードレール（取付け対象物）に、挟持固定される上下の固定具（移動規制手段、及び下端アーム）を備えた脚部と、この脚部の上端部に設けた掲示物支持台とでなる発明であり、ガードレールと脚部の係止、及び支持台への掲示物の支持等の強度の向上にある（特許第５２９５００２号公報）。更に、文献３として、ガードレールの上下端部に係止するスプリングを備えた対の引っ掛け手段と、この対の引っ掛け手段を繋ぐ表示体とでなり、ワンタッチ、かつ容易な取付けを意図する（特開平１０−１０５１０２号公報）がある。
【特許文献１】特許第６０３２７７６号公報
【特許文献２】特許第５２９５００２号公報
【特許文献３】特開平１０−１０５１０２号公報
【発明の概要】
【発明が解決しようとする課題】
【０００４】
前述した文献１−２では、取付け対象物（ガードレールとする）を、掲示板、表示体等の支持柱として、利用するものであり、表示体としての利用ではない。従って、ガードレールの有効利用でなく、換言すると、邪魔な掲示板としか考えられない。また、ガードレールの上に突出することから、風雨とか積雪時に問題を抱えている。
【０００５】
尚、文献３においては、前記文献１−２の問題の一部はクリアーするが、有効利用の面において、改良の余地がある。
【課題を解決するための手段】
【０００６】
前記文献１−３の問題点を解決し、さらなる有効利用と、ガードレールの風雨とか積雪時における問題を解決するために、請求項１−７を提案する。
【発明の効果】
【０００７】
請求項１−７は、少なくとも、前述の課題を解決することを意図し、提案するが、一例であり、後述する各実施例等は、本発明の好ましい一例の説明であり、各実施例とか図面に限定されない。従って、発明の趣旨の範囲において構成の一部を変更する構造とか、同じ特徴と効果を達成できる構造、等は、本発明の範疇である。
【０００８】
請求項１の発明は、支柱、及び、支柱に架承されたビーム、ケーブル、又はパイプでなる梁材でなるガードレール、ガードパイプ、又はガードケーブルでなる防護柵に取付ける看板、広告塔、又は標識である表示体であって、
表示体は、少なくとも、梁材に固定される複数の固定具と、複数の固定具を基に、防護柵に固定される、防護柵と同寸の表示板でなる表示体の構造である。
【０００９】
これにより、請求項１では、防護柵の大きさ（外寸とする）を有効利用して、表示体を取り付け可能とする。また、防護柵の強度等に影響を与えることなく、外寸に対する風雨とか積雪時の強度問題を解決可能とする。また、これにより、防護柵の使用とか、衝突時の強度対応が可能である。
【００１０】
請求項２の発明は、表示体、及び／又は、固定具は、上下側の端部を、湾曲可能としたことを特徴とする表示体の構造である。
【００１１】
これにより、請求項２では、請求項１の目的達成と、安全性の確保とか、防護柵との一体化の確保とかを図る。
【００１２】
請求項３の発明は、固定具は、鍵形であって、上下側の折曲げ端部は、防護柵の上下側の棚材に、止め具で緊締可能としたことを特徴とする表示体の構造である。
【００１３】
これにより、請求項３では、請求項１の目的達成と、安全性の確立とか、防護柵との一体化の確立とかを図る。
【００１４】
請求項４の発明は、防護柵及び／又は表示体は、上下側の寸法を変更可能としたことを特徴とする表示体の構造である。
【００１５】
これにより、請求項４では、請求項１の目的達成と、防護柵の寸法に合わせた表示体を取り付け可能とする。
【００１６】
請求項５の発明は、ガードレールにおいては、表示体の左右側に第１取付孔を開設し、第１取付孔に整合する第２取付孔を、ビームに開設し、第１・第２取付孔に止め具を差込み、かつ固定することで、ガードレールに表示体を取付け可能としたことを特徴とする表示体の構造である。
【００１７】
これにより、請求項５では、請求項１の目的達成と、目的達成のために、表示体の構造を提案できる。
【００１８】
請求項６の発明は、支柱、及び、支柱に架承されたビーム、ケーブル、又はパイプでなる梁材でなるガードレール、ガードパイプ、又はガードケーブルでなる防護柵に取付ける看板、広告塔、又は標識である表示体であって、
表示体は、上下側の縁部を、防護柵に固定し、防護柵と同寸の表示板を取付ける表示体の構造である。
【００１９】
これにより、請求項６では、請求項１の目的達成と、防護柵に安全、かつ確実に取付けできる表示体の提供が可能となる。
【００２０】
請求項７の発明は、表示板は、左右側の長さ寸法を調整可能な手段を付設する構成とした表示体の構造である。
【００２１】
これにより、請求項７では、請求項１と請求項６の目的達成と、安全性の確立とか、防護柵との一体化の確立とかを図る。
【図面の簡単な説明】
【００２２】
（図１）−（図５）は、ガードパイプに表示体を取付けた第１−第３実施例を示している。
【図１】第１実施例の一部欠截の分解斜視図
【図２】第１実施例の組付け図
【図３】第１実施例の組付け透視図
【図４】第２実施例の組付け図
【図５】第３実施例の分解斜視図
【００２３】
（図６）−（図８）は、ガードレールに表示体を取付けた第４−第５実施例を示している。
【図６】第４実施例の組付け図
【図７】第５実施例の組付け図
【図８】第５実施例の分解斜視図
【００２４】
（図９−１）−（図１０−３）は、ガードレールに表示体を取付けた第６−第７実施例を示している。
【図９−１】第６実施例の正面図
【図９−２】第６実施例の平面図
【図９−３】第６実施例の側面図
【図１０−１】第７実施例の正面図
【図１０−２】第７実施例の平面図
【図１０−３】第７実施例の側面図
【図１１】丁字路における表示体の使用例を示した俯瞰図
【００２５】
（図１２）−（図１４）本発明の防護柵に表示体を取付けた望ましい各実施例である。
【図１２】第１−第３実施例のガードパイプ二本仕様の使用態様を示した側面図
【図１３】第１−第３実施例のガードパイプ三本仕様の使用態様を示した側面図
【図１４】第４−第５実施例のガードレールの使用態様を示した側面図
【図１５】公知のガードレールの側面図
【発明を実施するための形態】
【００２６】
図１−図５に示したガードパイプＸに表示体Ａを取付けた第１−第３実施例について説明すると、表示体Ａは、ガードパイプＸの一面（人が視認する表面側）に取付ける表示板１と、この表示板１を、ガードパイプＸに固定し、かつガードパイプＸの他面（裏面側）に取付ける固定具２とで構成する。そして、表示板１と、固定具２を緊締する多数の止め具８とでなる。
【００２７】
この表示板１は、三本のガードパイプＸ（防護柵）の上下方向の立上り寸法Ｘ１と同じ立上り寸法１ａを有し、かつガードパイプＸのスパンＡ２（支柱間の幅。但し、長尺物もあり後述する）と同じ幅寸法１ｂを有する梁材１００（パイプ、波板材「ビーム」、又はケーブルもあり後述する）で構成する。この梁材１００の上下側に折曲げ片１０１、１０２を形成するとともに、この折曲げ片１０１、１０２の開放端には、それぞれ複数片の取付け片１０３、１０４を突設することで、側面視して曲面折曲げ角隅となる略コ字形を呈する。この取付け片１０３、１０４にはボルト用の孔４、５を備える。尚、表示板１は、防護柵と同寸が望ましい。
【００２８】
また、この固定具２は、前記取付け片１０３、１０４に重畳する折曲げ取付け片２００、２０１と、この折曲げ取付け片２００、２０１を繋ぐ本体帯２０２との構成であり、側面視して折曲げ角隅となる略コ字形を呈する。この折曲げ取付け片２００、２０１にはボルト用の孔６、７を備える。
【００２９】
図中８は止め具である。
【００３０】
尚、表示板１の立上り寸法１ａ＞固定具２の折曲げ取付け片２００、２０１外側間の寸法となっているが、一例である。
【００３１】
以上の第１実施例の構成において、図２、図３の如く、表示板１の裏面１−１を、ガードパイプＸの表面側Ｘａに添設し、各折曲げ片１０１、１０２（各は省略する）を、ガードパイプＸの上下端にそれぞれ係止する（それぞれは省略する）。これにより、表示板１は、ガードパイプＸに掛け止めされる（仮止めされる）。この掛け止め状態で、取付け片１０３、１０４は、ガードパイプＸの裏面側Ｘｂより突き出る。
【００３２】
続いて、複数枚の固定具２（複数枚は省略する）の折曲げ取付け片２００、２０１を、ガードパイプＸの裏面側Ａｂに添設するとともに、折曲げ取付け片２００、２０１を、折曲げ片１０１、１０２の内側に差し入れる（重畳する）と、パイプＸ３を、梁材１００と固定具２（本体帯２０２）で挟持する状態となり、かつ表示板１が、ガードパイプＸに掛け止めされる（仮止めされる）。図中３は支柱である。
【００３３】
前記折曲げ取付け片２００、２０１の折曲げ片１０１、１０２への差し入れで、孔４、５と、孔６、７を整合する。この整合孔に、それぞれ止め具８のボルトの差込みと、ナットの緊締により、表示板１と固定具２は、パイプＸ３に固定される（表示板１と固定具２で、パイプＸ３の少なくとも、三か所を緊締する。一例である）。即ち、ガードパイプＸに表示体Ａが取付け、かつ固定される（図２参照）。そして、この折曲げ取付け片２００、２０１を角部とすることで、折曲げ片１０１、１０２との重なり具合が確保できて、表示板１と固定具２の整合性とフィット感が確保できる。
【００３４】
尚、第１実施例では、固定具２の折曲げ取付け片２００、２０１を、表示板１の取付け片１０３、１０４に差込み支持する構造を説明した。しかし、一例であり、例えば、折曲げ取付け片２００、２０１を、取付け片１０３、１０４に被嵌支持する構造も採用できる。
【００３５】
また、表示体１に、曲面の繋ぎ部を介して、取付け片１０３、１０４を形成する構造を説明したが、図５の第３実施例の如く、角部の繋ぎ部を介して、取付け片１０３、１０４を形成する構造も可能である。また、図４に示した第２実施例は、第１実施例の「出願人のお店の宣伝」でなく、本来の目的を冠した言葉を表示している。
【００３６】
図６−図８に示したガードレールＹ（防護柵）に表示体Ａを取付けた第４−第５実施例について説明すると、図６の第４実施例では、基本的な構造は、前述の第１−第３実施例と同じである。但し、波形のビームの形状を考慮し、梁材１００の両端部１００ａ、１００ｂには、折曲げ形態で、かつ略台形形状の差込み片１００−１、１００−２を備える。差込み片１００−１、１００−２を波形の凹部に係止することで、取付けの安定性（振動、風邪等によるガタ防止）と、強度の向上等を図る。その他は、前述の第１−第３実施例に準ずる。また、図７と図８の第５実施例では、梁材１００と、差込み片１００−１、１００−２の構造であり、梁材１００はシンプルな構造であって、ガードレールＹの視認側と、同じ一枚板の外観とし、上下端部の折曲げ片１０１、１０２は巻き締め構造である。そして、差込み片１００−１、１００−２を、ガードレールＹのガードレール端部Ｙ１、Ｙ２に取付ける。この一例は、固定具２を有さない構造である。そして、その他は、前述の第４実施例に準ずる。尚、支柱３と梁材１００、及びガードレールＹ等は、この支柱３、梁材１００等に開設した孔１０と止め具８を利用して、支持、かつ緊締する。
【００３７】
図９−１−図１０−３に示したガードレールＹに表示体Ａを取付けた第６−第７実施例について説明すると、図９−１−図９−３の第６実施例では、基本的な構造は、前述の第５実施例と同じである。また、図１０−１−図１０−３の第７実施例では、基本的な構造は、前述の第５実施例と同じである。但し、梁材１００を分割形状とし、スパンＸ２の調整ができることが特徴である。
【００３８】
図１１は、丁字路においての前述の第１−第７実施例の設置の使用例を示したものであり、交差した正面に表示体Ａを取付けた俯瞰図を示す。
【００３９】
図１２−図１４は、前述の各実施例の側面図であって、図１２は、第１−第３実施例のガードパイプＸの二本パイプＸ３仕様の使用態様を示し、図１３は、第１−第３実施例のガードパイプＸの三本パイプＸ３仕様の使用態様を示し、図１４は、第４実施例のガードレールＹの使用態様を示したものである。
【００４０】
尚、ガイドケーブルの防護柵は図示しない。
【００４１】
図１５は、公知のガードレールの側面図である。
【符号の説明】
【００４２】
Ａ  表示体
１  表示板
１ａ  立上り寸法
１ｂ  幅寸法
１−１  裏面
１−２  表面
１００  梁材
１００ａ  端部
１００ｂ  端部
１００−１  差込み片
１００−２  差込み片
１０１  折曲げ片
１０２  折曲げ片
１０３  取付け片
１０４  取付け片
２  固定具
２００  折曲げ取付け片
２０１  折曲げ取付け片
２０２  本体帯
３  支柱
４−７  孔
８  止め具
１０  孔
Ｘ  ガードパイプ
Ｘａ  表面側
Ｘｂ  裏面側
Ｘ１  立上り寸法
Ｘ２  スパン
Ｘ３  パイプ
Ｙ  ガードレール
Ｙ１  ガードレール端部
Ｙ２  ガードレール端部
【図１】
2020024325.tif 000003
【図２】
2020024325.tif 000004
【図３】
2020024325.tif 000005
【図４】
2020024325.tif 000006
【図５】
2020024325.tif 000007
【図６】
2020024325.tif 000008
【図７】
2020024325.tif 000009
【図８】
2020024325.tif 000010
【図９−１】
2020024325.tif 000011
【図９−２】
2020024325.tif 000012
【図９−３】
2020024325.tif 000013
【図１０−１】
2020024325.tif 000014
【図１０−２】
2020024325.tif 000015
【図１０−３】
2020024325.tif 000016
【図１１】
2020024325.tif 000017
【図１２】
2020024325.tif 000018
【図１３】
2020024325.tif 000019
【図１４】
2020024325.tif 000020
【図１５】
2020024325.tif 000021